(57)【要約】【課題】所望の範囲を所望の照度にて照明すべく、光出射方向を自由に調節することができると共に、十分な光量を確保することができる照明装置を提供する。【解決手段】線状の光源と、該光源からの光を所定方向に反射する反射部２２，２２とを備えてなる照明装置において、前記光源及び／又は反射部２２，２２から出射する光の方向を可変設定する可変設定手段を備えてなるから、光出射方向を自由に調節することができ、使用者の利便に資する。【選択図】図３
2011014315.tif 000002
【特許請求の範囲】
【請求項１】
線状の光源と、該光源からの光を所定方向に反射する反射部とを備えてなる照明装置において、
前記光源及び／又は反射部から出射する光の方向を可変設定する可変設定手段を備えてなることを特徴とする照明装置。
【請求項２】
前記反射部を有し、前記光源を保持する保持体を備え、
該保持体は、前記光源の長手方向に沿う軸周りに、該光源と一体的に回動可能に構成してあることを特徴とする請求項１に記載の照明装置。
【請求項３】
前記反射部は、前記光源の長手方向に沿って該光源の光出射方向に向けて広がるように設けてあることを特徴とする請求項１又は２に記載の照明装置。
【請求項４】
前記光源は、光源本体と、該光源本体を保持する保持板とを備えてなり、
前記保持体は、前記保持板が挿入される空洞と、前記光源本体が前記反射部の側に露出するように設けられた開口とを有していることを特徴とする請求項２又は３に記載の照明装置。
【請求項５】
前記光源は樹脂により被覆してあることを特徴とする請求項１から４の何れか一つに記載の照明装置。
【請求項６】
前記光源本体はＬＥＤであることを特徴とする請求項４又は５に記載の照明装置。
【発明の詳細な説明】
【技術分野】
【０００１】
本発明は、光源と、該光源からの光を反射する反射部とを備える照明装置に関する。
【背景技術】
【０００２】
スーパーマーケット、コンビニエンスストア等の店舗において、冷凍食品、冷蔵食品、生鮮食品等の商品の陳列販売用のショーケースとして、本体ケースの正面に片開き又は両開きの透明扉を備えたクローズドタイプのショーケースが広く用いられている。従来、このようなショーケース用の照明装置の光源として、蛍光灯が用いられてきた。近年、発光ダイオード（以下、ＬＥＤという）の高輝度化に伴い、小型、低消費電力、長寿命等の特性を有するＬＥＤを光源として備えるショーケース用の照明装置が種々提案されている（例えば、特許文献１参照）。
【０００３】
特許文献１に開示されたショーケースに用いられる照明装置は、細長い板状基板に該板状基板の長手方向に所定間隔で配列された複数のＬＥＤを備えている。そして、この照明装置は、該複数のＬＥＤが実装された板状基板を、透明な円筒体に収納し、該円筒体の両端を防水パッキンにて塞いでなり、ショーケース内の支柱にＬＥＤの光出射方向がショーケースの内部の適宜位置を向くように固定して取付けて用いられる。
【先行技術文献】
【特許文献】
【０００４】
【特許文献１】特開２００２−１４７９４５号公報
【発明の概要】
【発明が解決しようとする課題】
【０００５】
ところで、このようなショーケースに用いられる照明装置は、ショーケース内の支柱等の限られたスペースに取付けられ、この設置場所からショーケースの内部のみを均一に明るく照明することができるように構成されることが望ましい。そして、照明装置が設置されるショーケースの形状、照明装置の配置はショーケースに応じて異なる。ところが、特許文献１に係る照明装置は、照明装置全体を回転させてＬＥＤの光出射方向を変更することは可能であるが、２つの板状基板がなす角度を変化させることはできないため、照明装置を設置する場所の形状、照明装置の配置に応じて、ＬＥＤの光出射方向を自由に調節することができないという問題があった。また、複数のＬＥＤを板状基板に配列したのみであり、ＬＥＤは光指向性を有する光源であるが、ある程度の広がりを有しているから、照明装置近傍を明るく照明することは可能であるが、照明装置から離れた空間、例えばショーケースの支柱間の空間が光量不足のために若干暗くなるという問題があった。
【０００６】
本発明は斯かる事情に鑑みてなされたものであり、所望の範囲を所望の照度にて照明すべく、光出射方向を自由に調節することができると共に、十分な光量を確保することができる照明装置を提供することを目的とする。
【課題を解決するための手段】
【０００７】
本発明に係る照明装置は、線状の光源と、該光源からの光を所定方向に反射する反射部とを備えてなる照明装置において、前記光源及び／又は反射部から出射する光の方向を可変設定する可変設定手段を備えてなることを特徴とする。
【０００８】
本発明にあっては、線状の光源及び／又は該光源からの光を反射する反射部から出射する光の方向を可変設定する可変設定手段を備えているから、光出射方向を自由に調節することができ、使用者の利便に資する。
【０００９】
本発明に係る照明装置は、前記反射部を有し、前記光源を保持する保持体を備え、該保持体は、前記光源の長手方向に沿う軸周りに、該光源と一体的に回動可能に構成してあることを特徴とする。
【００１０】
本発明にあっては、前記光源の長手方向に沿う軸周りに、該光源と一体的に反射体を回動可能に構成してある。照明装置を設置する場所の形状、照明装置の配置に応じて、光出射方向を自由に調節することができ、使用者の利便に資する。
【００１１】
本発明に係る照明装置は、前記反射部は、前記光源の長手方向に沿って該光源の光出射方向に向けて広がるように設けてあることを特徴とする。
【００１２】
本発明にあっては、前記光源の長手方向に沿って該光源の光出射方向に向けて広がるように反射部が設けてある。光源からの光は、反射部において反射されて、反射部の形状に応じた指向性を有して照明装置から出射される。反射部を光源の光出射方向と所定角度をなすように適切に設定することにより、所望の範囲を明るく照明するために必要な十分な光量を確保することが可能となる。
【００１３】
本発明に係る照明装置は、前記光源は、光源本体と、該光源本体を保持する保持板とを備えてなり、前記保持体は、前記保持板が挿入される空洞と、前記光源本体が前記反射部の側に露出するように設けられた開口とを有していることを特徴とする。
【００１４】
本発明にあっては、保持板を挿入される空洞と、光源本体が反射部の側に露出するように設けられた開口とを保持体に設けている。光源からの光が出射される開口以外の部分を反射部として形成することが可能となり、光源からの光を効率的に所望の方向に出射することが可能となるから、更に十分な光量を得ることができる。
【００１５】
本発明に係る照明装置は、前記光源は樹脂により被覆してあることを特徴とする。
【００１６】
本発明にあっては、光源本体と、保持板とを備えてなる光源を樹脂により被覆している。水滴が付着する環境下において照明装置を使用する場合において、照明装置全体を密閉することなく、樹脂を被覆するという簡易な構成により防水して光源を保護することができる。
【００１７】
本発明に係る照明装置は、前記光源本体はＬＥＤであることを特徴とする。
【００１８】
本発明にあっては、光源本体としてＬＥＤを用いている。ＬＥＤは小型であるから、設置スペースが少なくてすむ。
【発明の効果】
【００１９】
本発明によれば、所望の範囲を所望の照度にて照明すべく、光源の光出射方向を自由に調節することができると共に、十分な光量を確保することができる。
【図面の簡単な説明】
【００２０】
【図１】本発明に係る照明装置の模式的分解斜視図である。
【図２】本発明に係る照明装置の模式的正面図である。
【図３】図２の III−III 線による模式的拡大断面図である。
【図４】本発明に係る照明装置の模式的平面図である。
【図５】１つの光源部を有する照明装置の模式図である。
【図６】照明装置のショーケースへの取付状態の説明図である。
【図７】シミュレーションに用いた反射部の形状の説明図である。
【図８】シミュレーションに用いたショーケースの形状及び照明装置の配置の説明図である。
【図９】シミュレーション結果である。
【図１０】保持体の他の例の模式図である。
【図１１】他の回動機構を示す図である。
【発明を実施するための形態】
【００２１】
以下、本発明をその実施の形態を示す図面に基づいて、ショーケースに用いられる照明装置を例に詳述する。図１は、本発明に係る照明装置１０の模式的分解斜視図である。図２は、本発明に係る照明装置１０の模式的正面図である。図３は、図２の III−III 線による模式的拡大断面図である。図４は、本発明に係る照明装置１０の模式的平面図である。
【００２２】
図中１は、光源本体としてのＬＥＤである。ＬＥＤ１は、例えば、ＬＥＤ素子と、該ＬＥＤ素子を封止し、蛍光体が分散された封止樹脂と、入力端子及び出力端子とを備えてなる表面実装型ＬＥＤである。
【００２３】
このＬＥＤ１は、細長い矩形板状を有し、ＬＥＤ１を保持する保持板としてのＬＥＤ基板１１に設けてある。ＬＥＤ基板１１の一面１１ａには、複数（本実施の形態においては、図に示すように１８個）のＬＥＤが一面１１ａの長手方向に沿って適長離隔して実装してある。
【００２４】
この複数のＬＥＤ１，１…と、該ＬＥＤ１，１…が実装されたＬＥＤ基板１１とを備えてなる線状の光源は、保持体２に保持してある。保持体２は、矩形状の面２１ａを有し、複数のＬＥＤ１，１…を保持する保持部２１と、該保持部２１の長辺側の両端縁に立設され、複数のＬＥＤ１，１…からの光を所定方向に反射する反射部２２，２２とを備えている。保持体２の保持部２１には、複数（本実施の形態においては、図に示すように５つ）のＬＥＤ基板１１，１１…が、他面の側にて保持部２１の面２１ａに該面２１ａの長手方向に沿って取付けてあり、複数のＬＥＤ１，１…が保持部２１にＬＥＤ基板１１を介して保持してある。このように取付けられることにより、ＬＥＤ１，１…は、光出射方向が略同一（光軸がＬＥＤ基板１１に略直角をなす方向）になるように保持部２１の面２１ａに長手方向に沿って配されることになる。なお、本実施の形態においては、ＬＥＤ１，１…は、ＬＥＤ基板１１（保持部２１の面２１ａ）の長手方向に沿って、図１に示すように、直線状に配してあるが、前記長手方向に沿って配してあればよく、例えば、千鳥状に配してあってもよい。また、ＬＥＤ基板１１及び保持部２１間には、伝熱シート又はグリースが介装してあることが望ましい。
【００２５】
このように保持体２に固定されたＬＥＤ１，１…及びＬＥＤ基板１１（光源）の表面は、図３中に二点鎖線にて示すように、防水性を維持するために樹脂１２により被覆してある。そのために、樹脂１２は、防水性の樹脂であり、例えば、シリコーン系樹脂である。
【００２６】
反射部２２，２２は、保持部２１の面２１ａの長手方向に沿って複数のＬＥＤ１，１…の光出射方向に向けて広がるように（保持部２１の側から開口の側に向けて互いに離隔する方向に広がるように）形成してある。換言すると、反射部２２，２２は、ＬＥＤ１，１…及びＬＥＤ基板１１を有する光源の長手方向に沿って光源の光出射方向に向けて広がるように形成してある。この反射部２２，２２と複数のＬＥＤ１，１…の光軸（光出射方向）とがなす角度θ１は、照明装置を設置する場所の形状、照明装置の配置に応じて適切に設定してある。本実施の形態においては、θ１＝１５°に設定してある。詳細については後述する。
【００２７】
保持体２は、アルミニウム等の金属製であり、保持体２の反射部２２，２２の内面２２ａ，２２ａには、例えば、ＰＥＴ（ポリエチレンテレフタレート）を基材として用いた反射シート（図示せず）が貼り付けてある。なお、保持体２の反射部２２，２２の構成はこれに限定されず、ＬＥＤ１からの光を高反射率にて反射可能なように構成してあればよい。例えば、ステンレス等の金属、反射率の高い塗料が塗布された金属、又は光散乱性の金属酸化物（例えば二酸化チタン）等の材料を充填した樹脂材料（例えばポリカーボネート）により形成してもよい。保持体２の反射部２２，２２をこのように構成することにより、反射部２２，２２の内面２２ａ，２２ａ、又は該内面２２ａ，２２ａに沿って設けられた反射シートにより、複数のＬＥＤ１，１…の光出射方向に向けて広がる反射面が形成されることになる。
【００２８】
また、保持体２の反射部２２，２２の端部には、保持部２１の面２１ａに平行な２つの矩形板からなる係合部２３，２３が夫々設けてある。この係合部２３，２３には、矩形平板状の透光板３が介装してある。透光板３は、例えば、拡散剤が適量添加された半透明なポリカーボネート樹脂製である。透光板３は、保持体２の係合部２３，２３に保持部２１の面２１ａに平行な方向から挿入して係合させることにより、保持体２に取付けてある。
【００２９】
この保持体２の長手方向の両端には、サイドカバー４，４が夫々嵌入される。サイドカバー４は、保持体２の横断面形状と同じく台形状を有する板状である。サイドカバー４の一面には、該一面に平行な雌ネジが形成されたボス部が設けてあり、他面には、該他面に直交する雌ネジが設けてある。サイドカバー４は、一面の側を内側にして、保持体２に嵌入され、ネジを保持体２の保持部２１に設けられた貫通穴に挿通し、サイドカバー４のボス部に形成された雌ネジに螺合することにより保持部２１に固定してある。
【００３０】
以上のように組み込まれた２つの光源部は、固定アングル５，５により一体化される。固定アングル５は、矩形平板部５１と、該矩形平板部５１の一辺に立設され、２つの光源部を固定する固定板部５２と、矩形平板部５１の固定板部５２を挟む両側に立設され、取付アングル６，６が取付けられる取付板部５３，５３とを備えている。図２乃至図４に示すように、保持体２，２を保持部２１，２１の側が互いに対向し、光出射方向が固定アングル５，５に対して所定の角度を有するように位置決めして、ネジ７１，７１を、固定アングル５，５の固定板部５２，５２に設けられた貫通穴に挿通させ、サイドカバー４，４に設けられたネジ穴に螺合させることにより、２つの光源部が一体化される。そして、このネジ７１，７１を緩めることにより、保持体２，２夫々をネジ７１，７１を中心として、保持部２１，２１の面２１ａ，２１ａの長手方向に沿う軸周りに、複数のＬＥＤ１，１…と一体的に回動することが可能となる。即ち、ＬＥＤ１，１…とＬＥＤ基板１１とを有してなる光源及び反射部２２，２２から出射する光の方向を可変設定する可変設定手段は、固定アングル５，５と、ネジ７１，７１とを備えてなる。
【００３１】
固定アングル５には、照明装置１０をショーケースの支柱等の被取付部材に取付ける取付アングル６が取付けてある。取付アングル６は、矩形状の取付板部６１と、該取付板部６１の平行な２辺に立設された固定板部６２，６２とを備えている。取付板部６１には、図４に示すように、被取付部材への取付用のネジ穴６１ａ，６１ａが設けてある。取付アングル６は、図３に示すように、固定板部６２，６２を固定アングル５の取付板部５３，５３間に挿入して、ネジ７２，７２を取付板部５３，５３に設けられた貫通穴に挿通させ、固定板部６２，６２に設けられたネジ穴に螺合することにより、固定アングル５に一体化してある。この照明装置１０は、取付アングル６の取付板部６１の側にてショーケースの支柱等の被取付部材に取付けられ、照明装置１０から出射される光は、図３に示すように、取付板部６１（被取付部材の取付面）とθ２の角度をなす。なお、本実施の形態においては、θ２＝１０°になるように、２つの光源部が固定してある。
【００３２】
以上のように構成された照明装置１０は、２つの光源部を有しているが、１つの光源部を有する照明装置についても同様に構成される。図５は、１つの光源部を有する照明装置１０ａの模式図である。図５（ａ）は、照明装置１０ａの模式的正面図を、図５（ｂ）は図５（ａ）の V-V 矢視から見た図である。光源部の構成は、上記で説明した照明装置１０の光源部と同一であるから、同一部分は同一符号を付してその説明を省略する。
【００３３】
照明装置１０ａは、保持体２の保持部２１の側が取付アングル６ａと対向するように取付けてある。即ち、取付アングル６ａの反対側に透光板３が取付けてあり、取付アングル６ａの反対側が照明装置１０ａの光出射方向となる。固定アングル５ａ及び取付アングル６ａの幅（取付板部５３ａ，５３ａ間の間隔、固定板部間の間隔）は、照明装置１０の固定アングル５及び取付アングル６の幅の略半分となっている。その他の構成は照明装置１０と同様であるので、詳細な説明は省略する。
【００３４】
これら照明装置１０，１０ａは、冷凍食品、冷蔵食品、生鮮食品等の商品の陳列販売用のショーケースに用いられる。図６は、照明装置１０，１０ａのショーケース１００への取付状態の説明図であり、ショーケース１００の一部を示している。ショーケース１００は、筐体状のケース本体の正面に透明扉１０１を複数備えたクローズタイプのショーケースである。透明扉１０１の両側には、支柱１１０，１１１が設けてあり、ショーケース１００の隅部の支柱１１０には、１つの光源部を有する照明装置１０ａが、ショーケース１００の透明扉１０１間にある支柱１１１には、２つの光源部を有する照明装置１０が夫々設けてある。照明装置１０，１０ａは、支柱１１１，１１０に、照明装置１０，１０ａの長手方向が上下方向（垂直方向）になるように、照明装置１０，１０ａから出射される光とショーケース１００の前面とが所定角度θ２をなすように、取付アングル６，６ａを介して取付けてある。なお、本実施の形態においては、θ２＝１０°になるように、照明装置１０，１０ａが取付けてある。
【００３５】
これら照明装置１０，１０ａからの光は、ショーケース１００の内部に向けて出射される。このとき、支柱１１０に設けた照明装置１０ａと支柱１１１に設けた照明装置１０の中間地点の空間が光量不足ならないように、及び照明装置１０，１０ａから出射される光とショーケース１００の前面とがなす角度θ２及び保持体２の反射部２２の形状が決定してある。この反射部２２の形状は、シミュレーションにより照明装置から所定位置にある受光面（照明装置間の中間地点として想定される面）における照度の算出結果に基づいている。図７は、シミュレーションに用いた反射部の形状の説明図である。図８は、シミュレーションに用いたショーケースの形状及び照明装置の配置の説明図である。図９は、シミュレーション結果である。
【００３６】
図７（ａ）に示す光源モデルは、前述した照明装置１０ａにおいて、保持体２の反射部と光源であるＬＥＤ１の光軸（光出射方向）とのなす角度θ１を０°，５°，１０°，１５°，２０°と変化させるモデルである。なお、各部品の物性は次の通りである。ランバート光源であるＬＥＤ１の出力が７．２（ｌｍ）であり、ＬＥＤ１が取付けられるＬＥＤ基板１１の反射率が３０％（吸収率７０％）、反射部の内面である反射面の反射率が９０％（吸収率１０％）、透光板３の透過率が９０％（吸収率１０％）である。なお、保持体２の保持部の幅は１２（ｍｍ）として計算してある。
【００３７】
図７（ｂ）に示す光源モデルは、前述した照明装置１０ａとは異なり、保持体２ａの反射部の形状を放物線状に形成したモデルである。各部品の物性は図７（ａ）と同様である。即ち、ランバート光源であるＬＥＤ１の出力が７．２（ｌｍ）であり、保持体２ａの反射部の内面である反射面の反射率が９０％（吸収率１０％）、透光板３の透過率が９０％（吸収率１０％）である。
【００３８】
このように異なる反射部の形状を有する照明装置１０ａ，２０ａを、照明装置１０ａ，２０ａの光軸（光出射方向）が、図６に示したように、ショーケース１００の前面とθ２（本実施の形態においては１０°）の角度をなすようにショーケース１００の隅部に配置して（図８参照）、シミュレーションにより、最も光量不足となる位置（照明装置間）にある受光面における照度を算出した（図９参照）。なお、ベアは、反射部がないモデルであり、比較のために算出している。なお、本シミュレーションに用いるショーケースのモデルは、照明装置１０ａ，２０ａと受光面との間隔を３５０（ｍｍ）とし、上下方向の高さを２６９．１（ｍｍ）とし、奥行きを５４（ｍｍ）とした。
【００３９】
図９に示すように、図７（ａ）に示すモデルにおいては、θ１＝１５°において受光面における最大照度が最大になる。この結果に基づいて、前述した実施の形態においては、θ１＝１５°に設定している。この形状においては、保持体２の反射部とＬＥＤ１の光軸とのなす角度θ１は１５°が最も好ましいが、例えば、θ１の範囲として、１５°〜２０°の範囲が好ましいことが分かる。この１５°〜２０°の範囲の前後２，３°内の角度範囲についても、受光面の光量を増加するという効果は期待できる。なお、このシミュレーション結果は、照明装置１０ａから出射される光とショーケース１００の前面とがなす角度θ２によっても、ショーケースの形状及び照明装置の配置間隔によっても変化する。
【００４０】
図９に示すように、図７に示す形状のうち、図７（ｂ）に示す放物線状の面を有する保持体２ａが最大照度及び平均照度共に最大であり、最も好ましい。このような面を有する保持体２ａの例を図１０に示す。
【００４１】
保持体２ａは、複数のＬＥＤ１，１…を保持する保持部２４と、該保持部２４の長辺側の両端縁側に立設され、複数のＬＥＤ１，１…からの光を所定方向に反射する反射部２５，２５とを備えている。保持部２４は、複数のＬＥＤ１，１…が実装される保持板としてのＬＥＤ基板１１が挿入される扁平な直方体形状の空洞２４ａを有している。ＬＥＤ１，１…は、空洞２４ａの周壁の一部であり、矩形状の面である一面２４ｂに、ＬＥＤ基板１１を介して保持してある。このように取付けられることにより、ＬＥＤ１，１…は、光出射方向が略同一（光軸がＬＥＤ基板１１に略直角をなす方向）になるように保持部２４の一面２４ｂに長手方向に沿って配されることになる。なお、ＬＥＤ基板１１及び保持部２４間には、伝熱シート又はグリースが介装してあることが望ましい。
【００４２】
保持部２４の一面２４ｂに対向する面には、光源本体である複数のＬＥＤ１，１…が反射部２５，２５の側に露出するように開口２４ｃが設けてある。開口２４ｃは、ＬＥＤ１と略同一の幅を有し、保持部２４の一面２４ｂの長手方向に沿って設けられた細長い矩形状の穴である。
【００４３】
反射部２５，２５は、保持部２４の一面２４ｂの長手方向に沿って複数のＬＥＤ１，１…の光出射方向に向けて広がるように（保持部２４の側から透光板３の側に向けて互いに離隔する方向に放射線状に広がるように）形成してある。換言すると、反射部２５，２５は、ＬＥＤ１，１…及びＬＥＤ基板１１を有する光源の長手方向に沿って光源の光出射方向に向けて広がるように形成してある。なお、反射部２５は、前述した照明装置１０，１０ａの反射部２２と同様に、ＬＥＤ１からの光を高反射率にて反射可能なように構成してある。その他の構成は、図３に示す照明装置１０と同様であるため、対応する構成部材に図３と同一の参照符号を付して、その構成の詳細な説明を省略する。
【００４４】
以上のように構成された照明装置においては、光出射方向が略同一方向になるように、保持部２１，２４の矩形状の面２１ａ，２４ｂに長手方向に沿って複数のＬＥＤ１，１、…が設けてあり、前記長手方向に沿って複数のＬＥＤ１，１…の光出射方向に向けて広がるように反射部２２，２５が設けてある。ＬＥＤ１，１…からの光は、反射部２２，２５において反射されて、反射部２２，２５の形状に応じた指向性を有して照明装置から出射される。反射部２２，２５をＬＥＤ１の光軸と前述したように所定角度をなすように適切に設定することにより、所望の範囲を明るく照明するために必要な十分な光量を確保することができる。所望の範囲のみを効率的に明るく照明することができるから、省エネルギに資する。
【００４５】
また、図１０に示したように、ＬＥＤ基板１１を挿入される空洞２４ａと、複数のＬＥＤ１，１…が反射部２５，２５の側に露出するように設けられた開口２４ｃとを保持部２４に設けるように構成することにより、ＬＥＤ１，１…からの光が出射される開口２４ｃ以外の部分を反射部２５，２５として形成すること、即ちＬＥＤ１の際まで反射面を形成することが可能となる。これにより、ＬＥＤ１，１…からの光を効率的に所望の方向に出射することが可能となるから、更に十分な光量を得ることができる。また、ＬＥＤ基板１１を空洞２４ａ内に挿入するように構成してあるから、部品点数が増加することなく、また簡単な作業により組み立てることができる。そして、空洞２４ａの形状を適切に設定する（例えば、ガイドとなる突起を適宜設ける）ことにより、ＬＥＤ１，１…の光軸と反射部２５，２５間の中心との軸合わせを容易に行うことができる。
【００４６】
また、複数のＬＥＤ１，１…及びＬＥＤ基板１１を樹脂１２により被覆しているから、水滴が付着する環境下において照明装置を使用する場合において、照明装置全体を密閉することなく、樹脂１２を被覆するという簡易な構成により防水してＬＥＤ１，１…及びＬＥＤ基板１１を保護することができる。
【００４７】
そして、本発明に係る照明装置においては、ＬＥＤ１，１…とＬＥＤ基板１１とを有してなる光源及び／又は反射部２２，２２から出射する光の方向を可変設定する可変設定手段として、光源部を固定する固定アングル５，５ａと、サイドカバー４とを固定するネジ７１，７１とを備えてなる回動機構を採用している。光源部を固定する固定アングル５，５ａとサイドカバー４とを固定するネジ７１，７１を緩めることにより、保持体２，２夫々を、ネジ７１，７１を中心として、保持部２１，２１の面２１ａ，２１ａの長手方向に沿う軸周りに、複数のＬＥＤ１，１…と一体的に回動するように構成してあるから、照明装置を設置する場所の形状、照明装置の配置に応じた角度に光出射方向がなるように、ＬＥＤ１，１…の光出射方向を自由に調節することができ、使用者の利便に資する。
【００４８】
なお、以上の実施の形態においては、照明装置１０ａ，１０から出射される光とショーケース１００の前面とがなす角度θ２を同一角度（１０°）になるように設定しているが、これに限定されない。各θ２は、照明装置を設置する場所の形状、照明装置の配置に応じて、所望の範囲を所望の照度にて照明すべく、照明装置１０ａ，１０の夫々の保持体２，２の角度を変更して、適宜設定される。
【００４９】
なお、以上の実施の形態においては、可変設定手段として、ネジ７１を緩めて保持体２を回動可能なように構成してある回動機構を採用しているが、これに限定されず、保持部２１，２１の面２１ａ，２１ａの長手方向に沿う軸周りに、複数のＬＥＤ１，１…と一体的に回動可能に構成してあればよい。図１１は、他の回動機構を示す図である。図１１に示すように、サイドカバー４の外面の略中央に円柱状の係合突起（回動突起）４１を設け、固定アングル５ｂの固定板部５２ａに係合穴（回動穴）を有する係合部（回動部）５４を設ける。その他の構成は、図５に示す照明装置１０ａと同様であるため、対応する構成部材に図５と同一の参照符号を付して、その構成の詳細な説明を省略する。
【００５０】
係合突起４１及び係合部５４を適宜の摩擦にて接触するように適切に形成することにより、ＬＥＤ１，１…が所定の光出射方向になるように光源部を固定（保持）することができると共に、保持体２を係合突起４１を中心として固定アングル５ｂに対して相対回転させることにより、ＬＥＤ１，１…の光出射方向を自由に調節し、その調節位置で保持することができる。なお、回動機構はこれに限定されず、例えば、係合突起４１に代えて回転軸を設け、該回転軸に歯車を設けて、該歯車に噛合する駆動歯車及び該駆動歯車を駆動するモータを固定アングル側に設けてなる回動機構を用いてもよく、また、所定の光出射方向を複数設定してなる節動機構を設けてもよい。
【００５１】
なお、以上の実施の形態においては、ＬＥＤ１，１…を含む光源及び反射部２２，２２を一体的に回転させるように構成してあるが、これに限定されず、光源又は反射部２２，２２のみを回転させるように構成してもよい。
【００５２】
また、光源としてＬＥＤ１を用いており、ＬＥＤ１は小型であるから、照明装置の小型化を図ることができ、設置スペースが少なくてすむ。
【００５３】
なお、以上の実施の形態においては、光源であるＬＥＤ１，１…を保持板であるＬＥＤ基板１を介して保持体に保持してあるが、これに限定されず、ＬＥＤ１，１…を直接保持体に保持するように構成してもよい。
【００５４】
また、以上の実施の形態においては、反射部の形状として、図７に示す形状について述べたが、これに限定されず、複数のＬＥＤ１，１…の光出射方向に向けて広がるように設けてあればよい。例えば、図３における反射部２２は保持部２１とθ１の角度をなす真っ直ぐな平板状であるが、くの字形に屈曲させてもよい。
【００５５】
また、以上の実施の形態においては、光源本体として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００５６】
また、以上の実施の形態においては、照明装置をショーケースに適用した例について述べたが、該照明装置は、ショーケース以外の特定の範囲を照明する用途に適用可能であり、その他、特許請求の範囲に記載した事項の範囲内において種々変更した形態にて実施することが可能であることは言うまでもない。
【符号の説明】
【００５７】
１  ＬＥＤ（光源本体）
１１  ＬＥＤ基板（保持板）
１２  樹脂
２，２ａ  保持体
２１，２４  保持部
２４ａ  空洞
２４ｃ  開口
２２，２５  反射部
【図１】
2011014315.tif 000003
【図２】
2011014315.tif 000004
【図３】
2011014315.tif 000005
【図４】
2011014315.tif 000006
【図５】
2011014315.tif 000007
【図６】
2011014315.tif 000008
【図７】
2011014315.tif 000009
【図８】
2011014315.tif 000010
【図９】
2011014315.tif 000011
【図１０】
2011014315.tif 000012
【図１１】
2011014315.tif 000013